(57)【要約】【課題】情報供給者の権利を守るため、著作権に基づくプログラム、データ等の情報のコピーを防止し、コピーされた情報の再生を制御することが可能な光記録媒体の提供。【解決手段】同心円状又は渦巻状の溝を有する基板上に情報の記録再生が可能な記録層を有する円盤状光記録媒体の情報記録可能領域、或いは、基板に形成された同心円状又は渦巻状の凹凸ピットにより情報が予め記録されている領域（ＲＯＭ部）と、情報記録可能領域（ＲＡＭ部）とを有し、該ＲＯＭ部とＲＡＭ部に記録層が形成されている円盤状光記録媒体のＲＯＭ部に、トラック方向に１ｍｍ以上で半径方向に１トラック以上の情報読み取り不能な低反射率領域を少なくとも１箇所有し、該低反射率領域の平均反射率が、その他の領域の平均反射率の１／２以下である光記録媒体。【選択図】        図１
2005032328.tif 000002
【特許請求の範囲】
【請求項１】
同心円状又は渦巻状の溝を有する基板上に情報の記録再生が可能な記録層を有する円盤状光記録媒体であって、情報記録可能領域に、トラック方向に１ｍｍ以上で半径方向に１トラック以上の情報読み取り不能な低反射率領域を少なくとも１箇所有し、該低反射率領域の平均反射率が、その他の領域の平均反射率の１／２以下であることを特徴とする光記録媒体。
【請求項２】
基板に形成された同心円状又は渦巻状の凹凸ピットにより情報が予め記録されている領域（ＲＯＭ部）と、情報記録可能領域（ＲＡＭ部）とを有し、基板上のＲＯＭ部とＲＡＭ部に記録層が形成されている円盤状光記録媒体であって、ＲＯＭ部に、トラック方向に１ｍｍ以上で半径方向に１トラック以上の情報読み取り不能な低反射率領域を少なくとも１箇所有し、該低反射率領域の平均反射率が、その他の領域の平均反射率の１／２以下であることを特徴とする光記録媒体。
【請求項３】
記録層が有機色素を用いたライトワンス型であることを特徴とする請求項１又は２記載の光記録媒体。
【請求項４】
記録層が書き換え可能な相変化型であることを特徴とする請求項１又は２記載の光記録媒体。
【請求項５】
低反射率領域がグルーブ部のみに形成されていることを特徴とする請求項１〜４何れかに記載の光記録媒体。
【発明の詳細な説明】
【０００１】
【発明の属する技術分野】
本発明は、不正コピーを防止できる光記録媒体に関するものである。
【０００２】
【従来技術】
昨今における情報量の増大とパーソナルコンピュータの急速な普及に伴い、高密度かつ高速で大量のデータの記録再生が可能なディスクドライブが商品化され普及してきている。このため情報の提供及び配布には、レーザービームの照射により再生を行う該ディスクドライブ装置に対応する光記録媒体であるＣＤ−ＲＯＭやＤＶＤ−ＲＯＭといった再生専用ディスクが汎用されている。
コンパクトディスクの分野では、近年、読み取り専用領域と書き込み可能領域を持つＣＤ（ハイブリッドディスク）が開発され、同ディスクを上記ＣＤ−ＲＯＭの代替として、同ディスクの読み取り専用領域に予めコンテンツを書き込んだ状態で配布（販売）することが提案されている。このディスクでは、例えば当該媒体中に含まれているコンピューターソフトを利用して同一媒体上に必要な情報を追記することで当該光記録媒体の使い勝手を向上させることができ、また例えば前記コンピューターソフトの古いコンテンツを新しいバージョンにアップグレードさせることで、新たに余分なＲＯＭディスクを所持・使用する必要がなくなるなどの利点を持っている。
また上記のような予め情報を持つ再生専用ディスク及びハイブリッドディスクは、光記録媒体内がＲＡＭ領域のみで構成されている記録用ディスクを用いることで容易にコピーすることができる。しかし情報が不正コピーされるため、予め情報が存在する元々の光記録媒体の原本性が損なわれるのみならず、光記録媒体中に個人情報や機密事項が含まれる場合の情報管理の安全性に問題が生じる。
【０００３】
このような問題に対する対策として、特許文献１には、低反射率部分として形成され光学情報が記録された第１の領域と高反射率部分として形成され光学情報が記録された第２の領域とを有する光学的記録媒体が開示されているが、低反射率部分及び高反射率部分に記録された情報の信号レベルに基づいて光学的記録媒体の真贋を判断し、原データを復元するため、低反射率部分と高反射率部分の両方の情報を読み出すことが必須である上に、反射膜の材料を部分的に円形状又は同心円状に変えて光学的記録媒体を作製することは非常に困難である。
特許文献２には、レーザー光照射により不可逆的に識別情報を記録する方法が開示されているが、光学的バーコード情報を記録するためのトラック方向長さは８０μｍ以下である必要がある。
特許文献３には、光記録媒体に対しＣ２エラーや訂正不能なエラーが入った状態に記録する方法及び記録媒体が開示されているが、エラー部分は連続的に再生可能でありトラッキング等が外れることは無い。
更に特許文献４には、ＲＯＭ部のピットが記録可能領域のグルーブと同形状のグルーブでつながっている光記録媒体が、特許文献５には、ピット間グルーブとピットとの接続部をくびれさせた光記録媒体が、特許文献６には、ピット間グルーブとピットを分離露光した光記録媒体が、それぞれ記載されているが、不正コピー防止の十分な解決には至っていない。
【０００４】
【特許文献１】
特開平１１−２５５０７号公報
【特許文献２】
特開２００１−２７３６８７号公報
【特許文献３】
特開２００２−９２８８１号公報
【特許文献４】
特許第３０４１３８８号公報
【特許文献５】
特開２００１−２０９９７５号公報
【特許文献６】
特開２００１−２７３６８４号公報
【０００５】
【発明が解決しようとする課題】
前述したように過去に提案された不正コピー防止方法においては、その実現のために特殊な（標準外の）ディスクを必要とする場合が多い。これは、ディスクの製造に専用の製造工程・設備を必要とすることを意味し、コストなどの面で非常に効率が悪い。
そこで本発明では、情報供給者の権利を守るため、著作権に基づくプログラム、データ等の情報のコピーを防止し、コピーされた情報の再生を制御することが可能な、上記従来技術の問題を解決した光記録媒体の提供を目的とする。
【０００６】
【課題を解決するための手段】
上記課題は、次の１）〜５）の発明（以下、本発明１〜５という）によって解決される。
１）  同心円状又は渦巻状の溝を有する基板上に情報の記録再生が可能な記録層を有する円盤状光記録媒体であって、情報記録可能領域に、トラック方向に１ｍｍ以上で半径方向に１トラック以上の情報読み取り不能な低反射率領域を少なくとも１箇所有し、該低反射率領域の平均反射率が、その他の領域の平均反射率の１／２以下であることを特徴とする光記録媒体。
２）  基板に形成された同心円状又は渦巻状の凹凸ピットにより情報が予め記録されている領域（ＲＯＭ部）と、情報記録可能領域（ＲＡＭ部）とを有し、基板上のＲＯＭ部とＲＡＭ部に記録層が形成されている円盤状光記録媒体であって、ＲＯＭ部に、トラック方向に１ｍｍ以上で半径方向に１トラック以上の情報読み取り不能な低反射率領域を少なくとも１箇所有し、該低反射率領域の平均反射率が、その他の領域の平均反射率の１／２以下であることを特徴とする光記録媒体。
３）  記録層が有機色素を用いたライトワンス型であることを特徴とする１）又は２）記載の光記録媒体。
４）  記録層が書き換え可能な相変化型であることを特徴とする１）又は２）記載の光記録媒体。
５）  低反射率領域がグルーブ部のみに形成されていることを特徴とする１）〜４）何れかに記載の光記録媒体。
【０００７】
以下、上記本発明について詳しく説明する。
本発明は情報を記録再生するＣＤ−Ｒ／ＲＷ、ＤＶＤ−Ｒ／ＲＷ、ＤＶＤ＋Ｒ／ＲＷ等の光記録媒体、及び、これらの一部にＲＯＭ部を含む光記録媒体に対して特に有効である。
本発明の好ましい実施の形態について図１、図２により説明する。
図１に示す例では、光記録媒体のグルーブ開始径（開始位置）からグルーブ終了径（終了位置）の間に同心円状又は渦巻き状のグルーブが形成され、該グルーブ形成領域の一部に低反射率領域が形成されている。
また、図２に示す例では、グルーブ形成領域（グルーブ開始径からグルーブ終了径までの間）の一部に基板に凹凸ピットを形成したＲＯＭ部（プリピット開始径からプリピット終了径までの間）を有し、このＲＯＭ部の一部に低反射率領域が形成されている。
低反射率領域を、トラック方向に１ｍｍ以上で半径方向に２トラック以上の大きさとすることにより、通常の再生装置とソフトウェアでは再生不能になるが、より確実に再生不能とするためには、トラック方向に１０ｍｍ以上で半径方向に０．１ｍｍ以上の大きさとすることが好ましい。
また、低反射率領域の平均反射率は、その他の領域の平均反射率の１／２以下とする必要がある。
【０００８】
低反射率領域は、通常の記録装置（ＣＤ−Ｒ／ＲＷドライブ、ＤＶＤ−Ｒ／ＲＷドライブ、ＤＶＤ＋Ｒ／ＲＷドライブ等）或いは同様の光学系を用いた評価装置（例えばパルステック工業製ＤＤＵ−１０００）を用い、例えば色素を用いたライトワンス型光記録媒体の場合には高パワー（１．２ｍ／ｓｅｃの低線速では８〜１０ｍＷ程度、２８．８ｍ／ｓｅｃ程度の高線速では３０〜４０ｍＷ程度）のＤＣ光を照射することにより形成することができる。また、相変化記録層を用いた光記録媒体の場合には記録線速に適した周期のパルス光（１．２ｍ／ｓｅｃでは４．３２ＭＨｚ、１０〜１４ｍＷ、デューティ５０％、２８．８ｍ／ｓｅｃでは１０３．７ＭＨｚ、３０〜４０ｍＷ、デューティ５０％）を照射するか、又は光記録媒体を最高記録線速の１．５倍以上の線速で回転させ、同様なパワーのＤＣ光をグルーブに照射することにより形成することができる。
また、大口径初期化装置（例えば日立コンピュータ製ＰＯＰ１２０等）を用いて出力パワー６００〜１０００Ｗ、走査線速３〜１０ｍ／ｓｅｃ、送り速度５０〜８０μｍ／ｒ、スポットサイズ１００μｍ、ＬＤ波長８１０ｎｍのレーザー光を照射することにより低反射率領域を形成することもできる。
更に、グルーブ深さ、ランド高さを一部変えることにより低反射率領域を形成することも可能である。
【０００９】
本発明の光記録媒体は、基本的な層構成として、案内溝を有する基板上に記録層、反射層、オーバーコート層を設けることが望ましい。更にオーバーコート層上に印刷層を設けてもよい。
基板の材料としては、成型性、光学特性、コストの点で優れたポリカーボネート樹脂が好ましい。
ＲＯＭ部では、ピットの幅を０．４０〜０．７５μｍ、深さを２０００〜３３００Åとすることが信号特性上好ましい。また記録領域（ＲＡＭ部）を構成する案内溝（グルーブ）は、幅を０．２５〜０．７５μｍ、深さを１５０〜１２５０Åとすることが望ましい。
情報記録媒体がＣＤ−Ｒの場合には、基板の厚さは１．２ｍｍが好適である。ＲＯＭ部のピット間には、記録領域の案内溝程度の深さを持ちピットと分離しているダミーピット或いはピットと連続している案内溝を設けてもよい。
【００１０】
記録層には、２，２，３，３−テトラフルオロプロパノール等のフッ素アルコールと、２−メトキシエタノールやエチレングリコールジメチルエーテル等との混合溶媒に、フタロシアニン系色素やシアニン系色素などを溶解させた色素液材料が、記録感度や速度が極めて良好なため適している。
記録層の成膜には、これらの色素液材料をスピンコーティングにより塗布することが量産性及び膜質等に優れているため好適であり、その膜厚は求める信号特性によって任意に決定することができるが、１００〜５００ｎｍに設定するのが好適である。
また、ＡｇＩｎＳｂＴｅを含む４元系やＧｅＳｂＴｅを含む３元系の相変化型記録材料を主成分として含有し、必要に応じ各種添加物を加えた材料を用いることもできる。これらの薄膜は、各種気相成長法、例えば真空蒸着法、スパッタリング法、プラズマＣＶＤ法、光ＣＶＤ法、イオンプレーティング法、電子ビーム蒸着法などによって形成できる。
【００１１】
保護層の材料としては、ＳｉＯ、ＳｉＯ２、ＺｎＯ、ＳｎＯ２、Ａｌ２Ｏ３、ＴｉＯ２、Ｉｎ２Ｏ３、ＭｇＯ、ＺｒＯ２などの金属酸化物；Ｓｉ３Ｎ４、ＡｌＮ、ＴｉＮ、ＢＮ、ＺｒＮなどの窒化物；ＺｎＳ、Ｉｎ２Ｓ３、ＴａＳ４などの硫化物；ＳｉＣ、ＴａＣ、Ｂ４Ｃ、ＷＣ、ＴｉＣ、ＺｒＣなどの炭化物；ダイヤモンド状カーボンなどが挙げられる。これらの材料は単体で保護層とすることもできるが、互いの混合物としてもよい。また、必要に応じてそれらの材料の積層膜とすることもできる。但し、耐熱性保護層の融点は記録層の融点よりも高いことが必要である。
下部保護層の膜厚は３０〜２００ｎｍ、好適には５０〜１２０ｎｍとするのがよい。３０ｎｍよりも薄くなると耐熱性保護層としての機能を果たさなくなり、２００ｎｍよりも厚くなると感度の低下を来したり、界面剥離を生じ易くなる。また必要に応じて保護層を多層化することもできる。
上部保護層の膜厚は１０〜４０ｎｍ、好適には２０〜３５ｎｍとするのがよい。１０ｎｍよりも薄くなると耐熱性保護層としての機能を果たさなくなり、４０ｎｍよりも厚くなると界面剥離を生じ易くなり、繰り返し記緑性能も低下する。また必要に応じて保護層を多層化することもできる。
これらの保護層は、各種気相成長法、例えば真空蒸着法、スパッタリング法、プラズマＣＶＤ法、光ＣＶＤ法、イオンプレーティング法、電子ビーム蒸着法などによって形成できる。
【００１２】
反射層は、その特性として熱伝導率が高く、高融点で保護層との密着性が良いこと等が要求される。従って、その材料としては、Ａｌ、Ａｕ、Ａｇ、Ｃｕなどの金属材料、又はそれらの合金などを用いる。このうち特にＡｌ合金、Ａｇ単体及びＡｇ合金がコスト及び耐環境性に優れ、添加物としてはＡｌ合金の場合、Ｔａ、Ｔｉ、Ｃｒ、Ｓｉが優れており、またＡｇ合金の場合、Ａｕ、Ｐｔ、Ｐｄ、Ｒｕ、Ｔｉ、Ｃｕが優れている。
反射層は熱を効率的に逃すことが重要な機能であり、膜厚は５０〜２００ｎｍ、好適には７０〜１８０ｎｍとするのがよい。膜厚が厚すぎると放熱効率が良すぎて感度が悪くなり、薄すぎると感度は良いが繰り返しオーバーライト特性が悪くなる。
このような反射層は各種気相成長法によって形成できるが、量産性、膜質等に優れたスパッタリング法により成膜するのが好適である。
【００１３】
反射層の上には、その酸化防止のためオーバーコート層を設けることが望ましい。オーバーコート層としてはスピンコートで作製した紫外線硬化樹脂が一般的であり、その厚さはエラーの増大防止や機械特性の観点から３〜１５μｍとするのが好適である。
また、ハードコート層も、オーバーコート層と同様にスピンコートで作製した紫外線硬化樹脂が一般的であり、その厚さは耐擦傷性や機械特性の観点から２〜６μｍが好適である。
更に、オーバーコート層やハードコート層には、必要に応じて導電性の材料を混入させて帯電防止を図り、埃等の付着を防止することも効果的である。
【００１４】
【実施例】
以下、実施例により本発明を更に具体的に説明するが、本発明はこれらの実施例により限定されるものではない。
【００１５】
実施例１
図３に模式図を示したが、半径２５〜３５．５ｍｍの領域に形成した凹凸ピットにより、予め半径２５〜３４ｍｍの領域にプログラム等のデータが記録され、半径３４〜３５．５の領域にはダミーデータが記録され、半径３５．５〜５８ｍｍの領域には記録が可能なグルーブが形成された、厚さ１．２ｍｍ、直径１２０ｍｍφのポリカーボネート基板上に、スパッタリングにより、ＺｎＳ（８０）・ＳｉＯ２（２０）からなる膜厚９０ｎｍの下部保護層、Ａｇ５Ｉｎ６Ｓｂ６１Ｔｅ２８からなる膜厚２０ｎｍの記録層、ＺｎＳ（８０）・ＳｉＯ２（２０）からなる膜厚３０ｎｍの上部保護層、Ｔｉを１重量％含むＡｌ合金からなる反射層をこの順に形成し、最後にスピンコーティングによりアクリル系樹脂保護膜を約５〜１０μｍの厚さに形成して、光記録媒体を得た。
次に、この光記録媒体の半径２３．０〜３５．０ｍｍ及び３５．２〜５９ｍｍの領域を、大口径初期化装置を用いて初期化パワー７００ｍＷ、回転線速３．５ｍ／ｓｅｃ、送り７２μｍ／ｒで初期化し、波長７８０ｎｍ、対物レンズの開口数０．５の光ディスク評価装置（パルステック工業製ＤＤＵ−１０００）で測定したところ、初期化した部分のＤＣ反射率は１４％であったが、半径３５．０〜３５．２ｍｍの未初期化領域のＤＣ反射率は３％であった。
上記のようにして作成した光記録媒体を、通常のＣＤ−ＲＯＭドライブで読み出したところ、未初期化領域でトラッキング外れを生じたため読み出しを継続できず、複製を作成することができなかった。
【００１６】
実施例２
図４に模式図を示したが、通常のＣＤ−Ｒの半径２５〜３４ｍｍの領域にプログラムを記録し、半径３４〜３５ｍｍの領域にダミーデータを記録した後、記録再生装置（ＬＤ波長７９０ｎｍ、ＮＡ０．５）で半径３４．３〜３５．６ｍｍの領域に１９．２ｍ／ｓｅｃ（１６倍速）で３０ｍＷのパワーのＤＣレーザー光を照射したところ、ダミーデータ記録部分〔ＤＣレーザー光未照射部分（半径３４〜３４．３ｍｍ）の領域〕のＤＣ反射率は４５％、ＤＣレーザー光照射部分の反射率は２０％であった。
上記のようにして作成した光記録媒体を、通常のＣＤ−ＲＯＭドライブで読み出したところ、未初期化領域でトラッキング外れを生じたため読み出しを継続できず、複製を作成することができなかった。
【００１７】
【発明の効果】
本発明１によれば、連続再生中に、低反射率部分によりトラッキング外れ等を起して再生が中断するので、オリジナルか否かを判定し真贋を確認することが可能な光記録媒体を提供できる。
本発明２によれば、ＲＯＭ部再生時にエラーを起させて複製の作成を不可能にすることが可能な光記録媒体を提供できる。
本発明３によれば、安価に製造可能な光記録媒体を提供できる。
本発明４によれば、容易に低反射率領域を形成することが可能な光記録媒体を提供できる。
本発明５によれば、市販の光情報記録装置を用いて製造することが可能な光記録媒体を提供できる。
【図面の簡単な説明】
【図１】本発明の好ましい実施の形態を示す図。
【図２】本発明の好ましい他の実施の形態を示す図。
【図３】実施例１の各領域を示す模式図。
【図４】実施例２の各領域を示す模式図。
【図１】
2005032328.tif 000003
【図２】
2005032328.tif 000004
【図３】
2005032328.tif 000005
【図４】
2005032328.tif 000006